(57)【要約】【課題】電気二重層キャパシタの熱的な性能劣化を効率的に防止しえる手段を提供する。【解決手段】電気二重層キャパシタ１０を冷却または加熱するための熱電冷却素子１４と、電気二重層キャパシタ１０の温度を適正レベルに維持するように熱電冷却素子１４への電力量および電流の流れ方向を制御する手段１５と、を備える。熱電冷却素子１４は、複数の電気二重層キャパシタ１０を直列または並列に接続する連結電極１１に配置する。【選択図】図３
2005057006.tif 000002
【特許請求の範囲】
【請求項１】
電気二重層キャパシタを冷却または加熱するための熱電冷却素子と、電気二重層キャパシタの温度を適正レベルに維持するように熱電冷却素子への電力量および電流の流れ方向を制御する手段と、を備えたことを特徴とする電気二重層キャパシタの温度管理装置。
【請求項２】
熱電冷却素子への電力量および電流の流れ方向を制御する手段は、電気二重層キャパシタの温度および充放電電力に応じて熱電冷却素子への電力量を決定する手段と、電気二重層キャパシタの温度に応じて熱電冷却素子への電流の流れ方向を決定する手段と、を備えたことを特徴とする請求項１の記載に係る電気二重層キャパシタの温度管理装置。
【請求項３】
熱電冷却素子は、電気二重層キャパシタの外部電極に配置したことを特徴とする請求項１の記載に係る電気二重層キャパシタの温度管理装置。
【請求項４】
電気二重層キャパシタの外部電極と熱電冷却素子との間に絶縁伝熱シートを介装したことを特徴とする請求項１の記載に係る電気二重層キャパシタの温度管理装置。
【請求項５】
熱電冷却素子は、複数の電気二重層キャパシタを直列または並列に接続する連結電極に配置したことを特徴とする請求項１の記載に係る電気二重層キャパシタの温度管理装置。
【請求項６】
電気二重層キャパシタの連結電極と熱電冷却素子との間に絶縁伝熱シートを介装したことを特徴とする請求項１の記載に係る電気二重層キャパシタの温度管理装置。
【請求項７】
液体の循環路と、循環路の液体と電気二重層キャパシタとの間で熱交換を積極的に行う手段と、循環路の液体を冷却または加熱するための熱電冷却素子と、循環路の液体を強制的に循環させるポンプと、電気二重層キャパシタの温度を適正レベルに維持するように熱電冷却素子への電力量およびその流れ方向をポンプと共に制御する手段と、を備えたことを特徴とする電気二重層キャパシタの温度管理装置。
【請求項８】
循環路の液体と電気二重層キャパシタとの間で熱交換を積極的に行う手段は、複数の電気二重層キャパシタを直列または並列に接続する連結電極に沿う管路と、管路どうしを直列的に連結する接続管と、を備えたことを特徴とする請求項７の記載に係る電気二重層キャパシタの温度管理装置。
【請求項９】
連結電極に管路を一体形成する一方、循環路を流れる液体に絶縁性のもの、管路どうしを連結する接続管に絶縁性のもの、を用いたことを特徴とする請求項８の記載に係る電気二重層キャパシタの温度管理装置。
【請求項１０】
熱電冷却素子への電力量およびその流れ方向をポンプと共に制御する手段は、電気二重層キャパシタの温度および充放電電力に応じて熱電冷却素子への電力量を決定する手段と、電気二重層キャパシタの温度に応じて熱電冷却素子への電流の流れ方向を決定する手段と、を備えたことを特徴とする請求項７の記載に係る電気二重層キャパシタの温度管理装置。
【発明の詳細な説明】
【技術分野】
【０００１】
この発明は、電気二重層キャパシタの温度を適正レベルに維持するための温度管理装置に関する。
【背景技術】
【０００２】
近年、各種の蓄電装置（例えば、ハイブリッド電気自動車の駆動電源など）、急速充電が可能で充放電サイクル寿命が長い、電気二重層キャパシタの適用技術が注目される。
【０００３】
特許文献１の場合、電気二重層キャパシタは、正極体と負極体とこれらの間に介在するセパレータとから積層体に組成される。積層体（キャパシタ本体）は電解液に浸され、容器に収容される。容器は、１対の端子（一方は正極体、もう一方は負極体、に接合される）の一部が外部へ突き出る状態に密封されるのである。
【０００４】
特許文献２においては、所要容量の蓄電装置を構成するため、複数の電気二重層キャパシタを直列または並列に接続するのに好適な電極構造が開示される。特許文献３においては、ハイブリッド電気自動車の駆動電源として車両に搭載されるキャパシタの水冷装置が開示される。
【特許文献１】特開昭２００２−２８９４８７号
【特許文献２】特開２０００−３１３２３３号
【特許文献３】特開平１１−２７３９８３号
【発明の開示】
【発明が解決しようとする課題】
【０００５】
この発明は、このような従来技術を踏まえつつ、電気二重層キャパシタの熱的な性能劣化を効果的に防止しえる手段の提供を目的とする。特許文献３の水冷装置は、発電機を駆動するエンジンの冷却水を利用するものであり、所定数のキャパシタを囲むように冷却ジャケットが形成されるが、そのため格納に大きな空間が必要となり、適用しえる車両の範囲が制限されてしまう。この発明は、このような不具合を解決するための有効な手段の提供も目的とするものである。
【課題を解決するための手段】
【０００６】
第１の発明は、電気二重層キャパシタの温度管理装置において、電気二重層キャパシタを冷却または加熱するための熱電冷却素子と、電気二重層キャパシタの温度を適正レベルに維持するように熱電冷却素子への電力量およびその流れ方向を制御する手段と、を備えたことを特徴とする。
【０００７】
第２の発明は、第１の発明に係る電気二重層キャパシタの温度管理装置において、熱電冷却素子への電力量およびその流れ方向を制御する手段は、電気二重層キャパシタの温度および充放電電力に応じて熱電冷却素子への電力量を決定する手段と、電気二重層キャパシタの温度に応じて熱電冷却素子への電流の流れ方向を決定する手段と、を備えたことを特徴とする。
【０００８】
第３の発明は、第１の発明に係る電気二重層キャパシタの温度管理装置において、熱電冷却素子は、電気二重層キャパシタの外部電極に配置したことを特徴とする。
【０００９】
第４の発明は、第１の発明に係る電気二重層キャパシタの温度管理装置において、電気二重層キャパシタの外部電極と熱電冷却素子との間に絶縁伝熱シートを介装したことを特徴とする。
【００１０】
第５の発明は、第１の発明に係る電気二重層キャパシタの温度管理装置において、熱電冷却素子は、複数の電気二重層キャパシタを直列または並列に接続する連結電極に配置したことを特徴とする。
【００１１】
第６の発明は、第１の発明に係る電気二重層キャパシタの温度管理装置において、電気二重層キャパシタの連結電極と熱電冷却素子との間に絶縁伝熱シートを介装したことを特徴とする。
【００１２】
第７の発明は、電気二重層キャパシタの温度管理装置において、液体の循環路と、循環路の液体と電気二重層キャパシタとの間で熱交換を積極的に行う手段と、循環路の液体を冷却または加熱するための熱電冷却素子と、循環路の液体を強制的に循環させるポンプと、電気二重層キャパシタの温度を適正レベルに維持するように熱電冷却素子への電力量およびその流れ方向をポンプと共に制御する手段と、を備えたことを特徴とする。
【００１３】
第８の発明は、第７の発明に係る電気二重層キャパシタの温度管理装置において、循環路の液体と電気二重層キャパシタとの間で熱交換を積極的に行う手段は、複数の電気二重層キャパシタを直列または並列に接続する連結電極に沿う管路と、管路どうしを直列的に連結する接続管と、を備えたことを特徴とする。
【００１４】
第９の発明は、第８の発明に係る電気二重層キャパシタの温度管理装置において、連結電極に管路を一体形成する一方、循環路を流れる液体に絶縁性のもの、管路どうしを連結する接続管に絶縁性のもの、を用いたことを特徴とする。
【００１５】
第１０の発明は、第７の発明に係る電気二重層キャパシタの温度管理装置において、熱電冷却素子への電力量およびその流れ方向をポンプと共に制御する手段は、電気二重層キャパシタの温度および充放電電力に応じて熱電冷却素子への電力量を決定する手段と、電気二重層キャパシタの温度に応じて熱電冷却素子への電流の流れ方向を決定する手段と、を備えたことを特徴とする。
【発明の効果】
【００１６】
第１の発明においては、熱電冷却素子への電力量およびその流れ方向を電気二重層キャパシタの温度に応じて制御することにより、電気二重層キャパシタは、熱電冷却素子から温度に応じた吸熱（冷却）量または放熱（加熱）量を受けるため、適正な温度レベルに維持される。このため、電気二重層キャパシタの熱的な性能劣化（充放電効率の悪化など）を効果的に防止できる。
【００１７】
第２の発明においては、熱電冷却素子への電力量は、パラメータに電気二重層キャパシタの充放電電力を加えて決定されるので、電気二重層キャパシタは、負荷状態に過不足なく適合する吸熱（冷却）量または放熱（加熱）量を受けるため、適正な温度レベルに応答よく効果的に維持しえるのである。
【００１８】
第３の発明においては、電気二重層キャパシタの外部電極は、内部の正極体に接合する端子が外部へ引き出される部分と負極体に接合する端子が外部へ引き出される部分とから１対に構成されるものであり、電気伝導度の良好な材質により形成されるが、熱伝導度の良好な材質は一般に熱伝導度の良好なものであり、これら外部電極に熱電冷却素子を配置することにより、電気二重層キャパシタの内部を応答よく効率的に冷却または加熱しえるようになる。
【００１９】
第４の発明においては、絶縁伝熱シートにより、電気二重層キャパシタの外部電極と熱電冷却素子との間の熱伝導度を良好に確保しつつ、外部電極を流れる充放電電流と熱電冷却素子を流れる直流電流との干渉を簡便に防止できる。
【００２０】
第５の発明においては、複数の電気二重層キャパシタを接続する連結電極は、電気二重層キャパシタの外部電極と同じく電気伝導度および熱伝導度の良好な材質により形成され、これら連結電極に熱電冷却素子を配置することにより、電気二重層キャパシタの内部を応答よく効率的に冷却または加熱しえるようになる。
【００２１】
第６の発明においては、絶縁伝熱シートにより、複数の電気二重層キャパシタを接続する連結電極と熱電冷却素子との間の熱伝導度を良好に確保しつつ、連結電極を流れる充放電電流と熱電冷却素子を流れる直流電流との干渉を簡便に防止できる。
【００２２】
第７の発明においては、ポンプの駆動により、循環路の液体は強制的に循環され、熱電冷却素子の作動により、電気二重層キャパシタの温度に応じた吸熱量または放熱量を受ける一方、電気二重層キャパシタとの間で積極的に行われる熱交換により、放熱量または吸熱量を受ける。つまり、電気二重層キャパシタの温度に応じて熱電冷却素子への電力量およびその流れ方向をポンプと共に制御することにより、電気二重層キャパシタは、熱電冷却素子との間で循環路の液体を介して温度に応じた吸熱量または放熱量を受けるため、適正な温度レベルに維持される。このため、電気二重層キャパシタの熱的な性能劣化（充放電効率の悪化など）を効果的に防止できる。
【００２３】
第８の発明においては、熱電冷却素子から受ける吸熱量または放熱量により、循環路の液体は、連結電極に沿う管路を通過する際に電気二重層キャパシタを適正な温度レベルに冷却または加熱するのである。連結電極は、電気二重層キャパシタの外部電極と同じく電気伝導度および熱伝導度の良好な材質により形成され、循環路の一部として連結電極に沿う管路を設けることにより、電気二重層キャパシタの内部を応答よく効率的に冷却または加熱しえるようになる。
【００２４】
第９の発明においては、管路が連結電極に一体形成のため、管路への熱伝導度が高められ、管路と絶縁性の液体との間で熱量を効率よく授受しえる。絶縁性の接続管により、管路が一体形成の連結電極間の短絡も回避されるのである。
【００２５】
第１０の発明においては、熱電冷却素子への電力量は、パラメータに電気二重層キャパシタの充放電電力を加えて決定されるので、電気二重層キャパシタは、負荷状態に適合する吸熱（冷却）量または放熱（加熱）量を受けるため、適正な温度レベルに応答よく効果的に維持しえるようになる。
【００２６】
第１の発明〜第６の発明においては、電気二重層キャパシタの外部電極または連結電極に熱電冷却素子の吸熱または放熱が直接的に作用するので、電気二重層キャパシタの内部を応答よく効率的に冷却または加熱しえる。第７の発明〜第１０の発明においては、電気二重層キャパシタに対する熱電冷却素子の吸熱または放熱は循環路の液体を介して間接的に作用するので、第１の発明〜第６の発明の方が電気二重層キャパシタを応答よく効率的に冷却または加熱しえるものの、外部電極または連結電極に取る付けるのと異なり、電気二重層キャパシタ周囲の設置空間にレイアウト的な規制を受けないため、熱電冷却素子の設計に係る自由度を大きく取れるのである。
【発明を実施するための最良の形態】
【００２７】
図１〜図３は、この発明の実施形態を表すものであり、複数の電気二重層キャパシタ１０が１対の連結電極１１を介して並列に接続される。連結電極１１は、電気二重層キャパシタ１０の外部電極１２と同じく電気伝導度および熱伝導度の良好な材質（例えば、アルミニウム）から矩形の板状に形成される。連結電極１１の矩形平面に絶縁伝熱シート１３を重ね、その上から熱電冷却素子１４が配置される。
【００２８】
熱電冷却素子１４は、Ｐ形の半導体とＮ形の半導体との接合対になり、複数の素子を電気的には直列に接続、熱的には並列に接続、のユニットに構成される。熱電冷却素子１４（熱電冷却ユニット）は、直流（DC）電流が流れると、素子の両面における、片側に加熱（放熱）作用、その反対側に冷却（吸熱）作用、が生じる。DC電流の流れ方向を変えると、素子の加熱面と冷却面とが逆転するのである。熱電冷却素子１４において、フィン１５が絶縁伝熱シート１３と反対側に配設される。
【００２９】
電気二重層キャパシタ１０は、容器にキャパシタ本体が電解液と共に収容され、容器の一側から１対の外部電極１２ａ，１２ｂを構成する端子（電極リード）が引き出される。図示しないが、キャパシタ本体については、矩形の正極体および負極体とこれらの間に介在するセパレータ（紙製など多孔質膜）とから所定の積層体に組成される。正極体および負極体は、集電極とその両面に形成の分極性電極（活性炭電極）とから構成される。これら集電極は、矩形状の金属箔（例えば、アルミニウム箔）からなり、その矩形平面の一辺に片側へ寄せて帯状のリード部が一体に成形される。各リード部の同極どうしが１つに束ねられ、その結束部に極性の対応する端子が接合される。
【００３０】
キャパシタ本体は、電解液に浸され、容器に収容する。容器は、金属の中間層を持つ樹脂の積層フィルム（例えば、アルミラミネート）から一側が開口する袋状に構成され、その開口部から端子の一部が容器の外部へ引き出される。容器の内部は、真空引きにより、余分な電解液と共に空気や水分が除去され、真空状態に袋の開口部が１対の端子を挟む形に密封されるのである。
【００３１】
図３において、熱電冷却素子１４への電力量および電流の流れ方向を制御するのがECU１５（キャパシタ温度管理用の電子制御ユニット）であり、電気二重層キャパシタ１０の内部温度を最もよく反映する部位（例えば、熱伝導度も良好な外部電極１２）の温度を検出する温度センサ１６が備えられる。１７は複数の電気二重層キャパシタを蓄電装置として接続される負荷であり、この例においては、車両走行用の回転電機およびその出力（力行トルクおよび回生トルク）を調整する整流器（例えば、インバータ）を含む駆動回路が設定され、負荷に対する蓄電装置の充放電を制御するECU１８（充放電制御用の電子制御ユニット）が設けられる。
【００３２】
キャパシタ温度管理用の電子制御ユニット１５は、温度センサ１６の検出信号および充放電制御用の電子制御ユニット１８からの充放電情報に基づいて、熱電冷却素子１４への電力量および電流の流れ方向を制御する。この電子制御ユニット１５においては、温度センサ１６の検出信号および充放電制御用の電子制御ユニット１８からの充放電情報に応じて熱電冷却素子１４への電力量を決定する手段と、温度センサ１６の検出信号に応じて熱電冷却素子１４への電流の流れ方向を決定する手段と、が備えられるのである。
【００３３】
図６は、キャパシタ温度管理用の電子制御ユニット１５に係るその制御内容を説明するものであり、所定の制御周期毎に行われる。S1においては、充放電制御用の電子制御ユニット１８からの充放電情報に基づいて、蓄電装置が充放電（稼働）中かどうかを判定する。S1の判定がyesのときは、S2へ進む一方、S1の判定がnoのときは、S6において、熱電冷却素子１４への供給電力を遮断（OFF）するか、その遮断状態を保持する。
【００３４】
S2においては、温度センサ１６の検出信号について、電気二重層キャパシタ１０の温度が適正範囲（適正レベル）かどうかを判定する。S2の判定により、電気二重層キャパシタの温度が適正範囲の上限値を上回るときは、S3へ進み一方、電気二重層キャパシタ１０の温度が適正範囲の下限値を下回るときは、S4へ進む。S2の判定により、電気二重層キャパシタ１０の温度が適正範囲にあるときは、S5へ進むのである。
【００３５】
S3においては、図４の制御マップに基づいて温度センサ１６の検出信号（電気二重層キャパシタ１０の温度）に応じた電力量Ptを求め、図５の制御マップに基づいて充放電制御用の電子制御ユニット１８からの充放電情報に応じた電力量Ppを求め、これらの電力量（Pt＋Pp）が熱電冷却素子１４の冷却方向（連結電極１１側が吸熱面となる電流方向）へ流れるよう、熱電冷却素子１４への通電を制御する。S4においては、予め設定の電力量（一定値）が熱電冷却素子１４の放熱方向（連結電極１１側が加熱面となる電流方向）へ流れるよう、熱電冷却素子１４への通電を制御する。S5においては、熱電冷却素子１４への供給電力を遮断（OFF）するか、その遮断状態を保持する。
【００３６】
このような構成により、電気伝導度および熱伝導度の良好な連結電極１１に熱電冷却素子１４の吸熱または放熱が直接的に作用するので、電気二重層キャパシタ１０の内部を応答よく効率的に冷却または加熱しえる。熱電冷却素子１４への電力量は、電気二重層キャパシタ１０の充放電電力を加えて決定されるので、電気二重層キャパシタ１０は、負荷状態に過不足なく適合する吸熱（冷却）量または放熱（加熱）量を受けるため、適正な温度レベルに応答よく効果的に維持しえる。その結果、電気二重層キャパシタ１０の熱的な性能劣化が防止され、充放電効率も良好に確保できるのである。
【００３７】
熱電冷却素子１４の放熱方向への電力量は、図６のS4において、既定値（一定値）に制御されるが、電気二重層キャパシタ１０の温度に応じた制御マップおよび充放電電力に応じた制御マップを設定することにより、図６のS3と同様に処理することも考えられる。
【００３８】
図７〜図９は、蓄電装置の変形例を表すものであり、複数の電気二重層キャパシタ１０は、複数の連結電極１１を介して直並列に接続される。具体的には、４個の電気二重層キャパシタは、３本の連結電極１１により、１組２個ずつ並列のもの２組が直接に接続される。連結電極１１は、電気二重層キャパシタ１０の外部電極と同じく電気伝導度の良好な材質から短尺状に形成され、その側面に電気二重層キャパシタ１０の外部電極が接合される。
【００３９】
図示の場合、連結電極１１ｂ，１１ｃに熱伝導度の良好な材質から載置盤１９が形成され、各盤面１９に熱電冷却素子１４（熱電冷却ユニット）が設置される。連結電極１１ｂ，１１ｃは、電気伝導度および熱伝導度の良好な材質（例えば、アルミニウム）から載置盤１９と一体に成形され、載置盤１９と熱電冷却素子１４との間に絶縁伝熱シート１３が介装される。連結電極１１ａは、載置盤１９を持たない矩形の板状に形成される。
【００４０】
熱電冷却素子１４は、直流（DC）電流が流れると、素子の両面における、片側に加熱（放熱）作用、その反対側に冷却（吸熱）作用、が生じる。DC電流の流れ方向を変えると、素子の加熱面と冷却面とが逆転するのである。熱電冷却素子１４において、フィン１５が絶縁伝熱シート１３と反対側に配設される。
【００４１】
図示しないが、熱電冷却素子１４への電力量および電流の流れ方向を制御するECU（キャパシタ温度管理用の電子制御ユニット）と、負荷に対する蓄電装置の充放電を制御するECU（充放電制御用の電子制御ユニット）と、が設けられる。キャパシタ温度管理用の電子制御ユニットは、図６のフローチャートと同じく、温度センサの検出信号および充放電制御用の電子制御ユニットからの充放電情報に基づいて、熱電冷却素子１４への電力量および電流の流れ方向を制御するのである。
【００４２】
図１〜図３の場合および図７〜図９の場合、熱電冷却素子１４は、複数の電気二重層キャパシタ１０を接続する連結電極１１を対象に付加されるが、設置空間が確保しえるようであれば、電気二重層キャパシタ１０の外部電極１２ａ，１２ｂに取り付けても良い。
【００４３】
図10は、別の実施形態を説明するものであり、４個の電気二重層キャパシタ１０は、３本の連結電極１１により、１組２個ずつ並列のもの２組が直接に接続される。電気二重層キャパシタ１１の温度を適正レベルに維持するため、熱交換器２０を経由する液体の循環路２５と、循環路２５の一部を連結電極１１に沿って形成する管路２２と、これら管路２２を直列的に連結する接続管２３と、循環路２５の液体を強制的に循環させるポンプ２１と、が設けられる。
【００４４】
連結電極１１は、図11のように電気二重層キャパシタ１０の外部電極１２と同じく電気伝導度および熱伝導度の良好な材質から、矩形の一側に沿う管路２２を含めて一体に成形されるのである。循環路２５を流れる液体は、連結電極１１との絶縁性を確保するため、絶縁油が用いられる。管路２２を直列的に連結する接続管２３については、連結電極１１間の短絡を回避するため、全部または一部が絶縁性の材質から形成される。
【００４５】
熱交換器２０は、図12〜図14のようにボックス型の器体３２に形成され、その内部に液体の蛇行路３３を形成する複数の案内板３４が備えられる。複数の案内板３４を含むボックス型の器体３２は、熱伝導度の良好な材質から形成され、器体３２の外面に蛇行路３３を流れる液体を積極的に冷却または加熱する熱電冷却素子１４（熱電冷却ユニット）が設置される。
【００４６】
熱電冷却素子１４は、直流（DC）電流が流れると、素子の片面に加熱（放熱）作用、その反対側の片面に冷却（吸熱）作用、が生じる。DC電流の流れ方向を変えると、素子の加熱面と冷却面とが逆転するのである。熱電冷却素子１４において、フィン１５が絶縁伝熱シートと反対側に配設される。
【００４７】
循環路２５の液体は、ポンプ２１の駆動により、熱交換器２０と連結電極１１に沿う管路２２およびその接続管２３との間を流れる。熱交換器２０の蛇行路３３を流れる液体は、熱電冷却素子１４の作動により、管路２２および接続管２３への供給側の温度が好適に維持され、連結電極１１に沿う管路２３を通過する際に熱量の授受が行われるため、電気二重層キャパシタ１０の温度を適正レベルに維持しえるのである。
【００４８】
図10において、１５は熱電冷却素子１４への電力量および電流の流れ方向をポンプと共に制御するのがECU（キャパシタ温度管理用の電子制御ユニット）であり、電気二重層キャパシタ１０の内部温度を最もよく反映する部位（例えば、熱伝導度も良好な外部電極１２）の温度を検出する温度センサ１６が備えられる。図示しないが、複数の電気二重層キャパシタ１０から構成される蓄電装置を電源とする負荷が設けられ、負荷に対する蓄電装置の充放電を制御するECU（充放電制御用の電子制御ユニット）が設けられる。
【００４９】
キャパシタ温度管理用の電子制御ユニット１５は、温度センサ１６の検出信号および充放電制御用の電子制御ユニットからの充放電情報に基づいて、熱電冷却素子１４への電力量および電流の流れ方向をポンプ２１と共に制御する。この電子制御ユニット１５においては、温度センサ１６の検出信号および充放電制御用の電子制御ユニットからの充放電情報に応じて熱電冷却素子１４への電力量を決定する手段と、温度センサ１６の検出信号に応じて熱電冷却素子１４への電流の流れ方向を決定する手段と、が備えられるのである。
【００５０】
図15は、キャパシタ温度管理用の電子制御ユニット１５に係るその制御内容を説明するものであり、所定の制御周期毎に行われる。S1においては、充放電制御用の電子制御ユニットからの充放電情報に基づいて、蓄電装置が充放電（稼働）中かどうかを判定する。S1の判定がyesのときは、S2へ進む一方、S1の判定がnoのときは、S6において、熱電冷却素子１４およびポンプ２１をOFF（停止）するか、これらをOFF状態に保持する。
【００５１】
S2においては、温度センサ１６の検出信号について、電気二重層キャパシタ１０の温度が適正範囲（適正レベル）かどうかを判定する。S2の判定により、電気二重層キャパシタ１０の温度が適正範囲の上限値を上回るときは、S3へ進み一方、電気二重層キャパシタ１０の温度が適正範囲の下限値を下回るときは、S4へ進む。S2の判定により、電気二重層キャパシタ１０の温度が適正範囲にあるときは、S5へ進むのである。
【００５２】
S3においては、ポンプ２１をONする一方、制御マップ（図４、参照）に基づいて温度センサ１６の検出信号（電気二重層キャパシタ１０の温度）に応じた電力量Ptを求め、制御マップ（図５、参照）に基づいて充放電制御用の電子制御ユニットからの充放電情報に応じた電力量Ppを求め、これらの電力量（Pt＋Pp）が熱電冷却素子１４の冷却方向（連結電極１１側が吸熱面となる電流方向）へ流れるよう、熱電冷却素子１４への通電を制御する。S4においては、ポンプ２１をONする一方、予め設定の電力量（一定値）が熱電冷却素子１４の放熱方向（連結電極１１側が加熱面となる電流方向）へ流れるよう、熱電冷却素子１４への通電を制御する。S5においては、熱電冷却素子１４およびポンプ２１をOFF（停止）するか、これらをOFF状態に保持する。
【００５３】
このような構成により、熱電冷却素子１４の作動により、熱交換器２０の作用が積極的に促進される。熱電冷却素子１４の吸熱または放熱は、電気二重層キャパシタ１０へ循環路の液体を介して間接的に作用するため、図１〜図６，図７〜図９の実施形態の方が電気二重層キャパシタ１０を応答よく効率的に冷却または加熱しえるものの、連結電極１１または外部電極１２に取る付けるのと異なり、電気二重層キャパシタ１０周囲の設置空間にレイアウト的な規制を受けないので、熱電冷却素子１４の設計に係る自由度を大きく取れるのである。
【図面の簡単な説明】
【００５４】
【図１】電気二重層キャパシタに係る蓄電装置の説明図である。
【図２】図１の断面Ａを示す説明図である。
【図３】電気二重層キャパシタに係る温度管理装置の概要図である。
【図４】制御を説明する特性図である。
【図５】制御を説明する特性図である。
【図６】制御内容を説明するフローチャートである。
【図７】電気二重層キャパシタに係る蓄電装置の説明図である。
【図８】図７の断面Ｂを示す説明図である。
【図９】図７の断面Ｃを示す説明図である。
【図１０】電気二重層キャパシタに係る温度管理装置の概要図である。
【図１１】図10の断面Ｄを示す説明図である。
【図１２】熱交換器および熱電冷却素子の構成に係る説明図である。
【図１３】図12の断面Ｅを示す説明図である。
【図１４】図12の断面Ｆを示す説明図である。
【図１５】制御内容を説明するフローチャートである。
【符号の説明】
【００５５】
１０  電気二重層キャパシタ
１１  １１ａ〜１１ｃ  連結電極
１２，１２ａ，１２ｂ  外部電極
１３  絶縁伝熱シート
１４  熱電冷却素子（熱電冷却ユニット）
１５，３０  キャパシタ温度管理用の電子制御ユニット
１６  温度センサ
１７  負荷
１８  充放電制御用の電子制御ユニット
２０  熱交換器
２１  ポンプ
２２  管路
２３  接続管
２５  循環路
３２  器体
３３  蛇行路
３４  案内板
【図１】
2005057006.tif 000003
【図２】
2005057006.tif 000004
【図３】
2005057006.tif 000005
【図４】
2005057006.tif 000006
【図５】
2005057006.tif 000007
【図６】
2005057006.tif 000008
【図７】
2005057006.tif 000009
【図８】
2005057006.tif 000010
【図９】
2005057006.tif 000011
【図１０】
2005057006.tif 000012
【図１１】
2005057006.tif 000013
【図１２】
2005057006.tif 000014
【図１３】
2005057006.tif 000015
【図１４】
2005057006.tif 000016
【図１５】
2005057006.tif 000017